(57)【要約】【課題】捕獲した害獣が捕獲檻内で暴れ回ることを防止し、捕獲率を高めることができる捕獲檻を提供することを目的とする。【解決手段】捕獲檻１は、第１の捕獲檻２と第２の捕獲檻３が連結部５により連結されている。第１の捕獲檻２には、捕獲檻１内に害獣Ｂを導入するための第１の前面開口部２１１が形成され、この第１の前面開口部２１１を開閉させる第１の扉部２８が設けられている。第２の捕獲檻３内には、捕獲檻１を第１の空間部Ｃ１と第２の空間部Ｃ２に仕切るための仕切板部４１が回動自在に軸支されている。仕切板部４１は第２のストッパー部４３により第２の天井面部３２に当接する位置で保持され、害獣Ｂが捕獲檻内のエサ取付部６に接触したことを契機として、ストッパー解除部６から第２のストッパー部４３が解除され、害獣Ｂを第１の空間部Ｃ１の狭い空間内に閉じ込めることができる。【選択図】図１
2018191573.tif 000002
【特許請求の範囲】
【請求項１】
第１の天井面部、第１の底面部、第１の右側面部、および第１の左側面部を有し、第１の前面開口部と第１の背面開口部が形成された第１の捕獲檻と、
該第１の捕獲檻と略同じ大きさであり、第２の背面部、第２の天井面部、第２の底面部、第２の右側面部、および第２の左側面部を有し、第２の前面開口部が形成された第２の捕獲檻と、
前記第１の背面開口部と、前記第２の前面開口部が対峙した状態で、前記第１の捕獲檻と前記第２の捕獲檻を連結する連結部と、
前記第１の前面開口部の開口縁の下端から上端の鉛直方向上方まで前記第１の右側面部、および前記第１の左側面部に沿って延設された一対の第１のガイドレールと、
該第１のガイドレールに沿って昇降し、前記第１の前面開口部を開閉可能とする第１の扉部と、
前記第１の前面開口部が開口状態となるように前記第１の扉部を前記第１のガイドレールの所定の位置で保持可能な第１のストッパー部と、
連結された前記第１の捕獲檻と前記第２の捕獲檻の空間を、前記第１の扉部を含む第１の空間部、前記第２の背面部を含む第２の空間部に区画する仕切板部と、
前記仕切板部の一端が前記第２の背面部を指向するように、前記仕切板部を保持可能な第２のストッパー部と、
前記仕切板部の他端を、前記第１の右側面部と前記第１の左側面部間、または前記第２の右側面部と前記第２の左側面部間の所定の位置に軸支する仕切板支持部と、
前記第１のストッパー部、および前記第２のストッパー部の解除を契機として、前記第１の扉部を鉛直方向に落下させるとともに、前記仕切板部を前記第１の空間部と前記第２の空間部に区画する区画位置まで回動させるストッパー解除部と、
前記仕切板部の区画位置からの回動を禁止する回動禁止部と、を備える
捕獲檻。
【請求項２】
第１の天井面部、第１の底面部、第１の右側面部、および第１の左側面部を有し、第１の前面開口部と第１の背面開口部が形成された第１の捕獲檻と、
該第１の捕獲檻と略同じ大きさであり、第２の天井面部、第２の底面部、第２の右側面部、および第２の左側面部を有し、第２の前面開口部と第２の背面開口部が形成された第２の捕獲檻と、
前記第１の背面開口部と前記第２の前面開口部が対峙した状態で、前記第１の捕獲檻と前記第２の捕獲檻を連結する連結部と、
前記第１の前面開口部の開口縁の下端から上端の鉛直方向上方まで前記第１の右側面部、および前記第１の左側面部に沿って延設された一対の第１のガイドレールと、
該第１のガイドレールに沿って昇降し、前記第１の前面開口部を開閉可能とする第１の扉部と、
前記第１の前面開口部が開口状態となるように前記第１の扉部を前記第１のガイドレールの所定の位置で保持可能な第１のストッパー部と、
前記第２の背面開口部の開口縁の下端から上端の鉛直方向上方まで前記第２の右側面部、および前記第２の左側面部に沿って延設された一対の第２のガイドレールと、
該第２のガイドレールに沿って昇降し、前記第２の背面部を開閉可能とする第２の扉部と、
連結された前記第１の捕獲檻と前記第２の捕獲檻の空間を、前記第１の扉部を含む第１の空間部、前記第２の扉部を含む第２の空間部に区画する仕切板部と、
前記仕切板部の一端が前記第２の背面開口部を指向するように、前記仕切板部を保持可能な第２のストッパー部と、
前記仕切板部の他端を、前記第１の右側面部と前記第１の左側面部間、または前記第２の右側面部と前記第２の左側面部間の所定の位置に軸支する仕切板支持部と、
前記第２の背面開口部が開口状態となるように前記背面扉部を前記第２の背面ガイドレールの所定の位置で保持可能な第３のストッパー部と、
前記第１のストッパー部、前記第２のストッパー部、および前記第３のストッパー部の解除を契機として、前記第１の扉部、および前記第２の扉部を鉛直方向に落下させるとともに、前記仕切板部を前記第１の空間部と前記第２の空間部に区画する区画位置まで回動させるストッパー解除部と、
前記仕切板部の区画位置からの回動を禁止する回動禁止部と、を備える
捕獲檻。
【請求項３】
前記回動禁止部は、
前記仕切板支持部よりも前記第２の背面部側の所定の位置であって、前記第２の右側面部に沿って、上端から下端に向かってテーパー状に延設された右側面ガイドレールと、
該右側面ガイドレールに対峙する位置であり、前記第２の左側面部に沿って、上端から下端に向かってテーパー状に延設された左側面ガイドレールと、
一端が前記右側面ガイドレール、他端が前記左側面ガイドレールに摺動可能に架設されたストッパー棒を有する
請求項１に記載の捕獲檻。
【請求項４】
前記回動禁止部は、
前記仕切板支持部よりも前記第２の背面開口部側の所定の位置であって、前記第２の右側面部に沿って、上端から下端に向かってテーパー状に延設された右側面ガイドレールと、
該右側面ガイドレールに対峙する位置であり、前記第２の左側面部に沿って、上端から下端に向かってテーパー状に延設された左側面ガイドレールと、
一端が前記右側面ガイドレール、他端が前記左側面ガイドレールに摺動可能に架設されたストッパー棒を有する
請求項２に記載の捕獲檻。
【請求項５】
前記連結部は、
前記第１の右側面部、および前記第１の左側面部に沿って鉛直方向に所定の間隔で、前記第２の捕獲檻側に突出するように前記第１の背面開口部の開口縁に固着され、鉛直方向に第１の貫通孔が形成された中空円柱状の第１の連結部と、
前記第２の右側面部、および前記第２の左側面部に沿って鉛直方向に所定の間隔で、かつ前記第１の連結部と干渉しない位置に、前記第１の捕獲檻側に突出するように前記第２の前面開口部の開口縁に固着され、鉛直方向に第２の貫通孔が形成されたた中空円筒状の第２の連結部と、
前記第１の捕獲檻と前記第２の捕獲檻を当接させた状態で、前記第１の貫通孔と前記第２の貫通孔に挿入される連結棒と、を有する
請求項１から請求項４の何れか一項に記載の捕獲檻。
【発明の詳細な説明】
【技術分野】
【０００１】
本発明は、捕獲檻に関する。詳しくは、イノシシやシカなどの害獣を捕獲する捕獲檻であり、捕獲した害獣が捕獲檻内で暴れ回ることを防止し、捕獲率を高めることができる捕獲檻に係るものである。
【背景技術】
【０００２】
近年、乱開発、異常気象に伴う自然環境の変化、耕作放棄地の増加による害獣の生息環境の変化に伴い、害獣の個体数は年々増加している。また、これら害獣による農林業被害は全国的に見られるようになってきており、その被害は拡大の一途をたどり、社会問題化している。このため、これら害獣の捕獲駆除も積極的に進めなければならない状況となっている。
【０００３】
従来より、害獣の捕獲駆除については、猟銃による方法や捕獲檻による方法が用いられてきたが、猟銃による方法は所持規制の強化もあり、その免許を有する者が著しく減少している。そのため、近年では捕獲檻を用いた害獣の捕獲駆除が主流となっている。
【０００４】
このような捕獲檻として、例えば特許文献１には、捕獲檻に進入した害獣が捕獲檻内に設けられたエサをつついた瞬間に、閉塞板が自重によりスライド落下することで、出入口を閉塞することができる捕獲檻が開示されている。
【０００５】
具体的には、図６に示すように、捕獲檻８０１に害獣を誘導するための前面開口部８０２と、この前面開口部８０２を閉塞するための扉部８０３を、前面開口部８０２に対して上下方向にスライド移動自在に設ける。捕獲檻８０１には、扉部８０３を上方に位置した状態で係止するストッパー部８０４を設け、捕獲檻８０１に進入した害獣が捕獲檻８０１内に設けたエサ台８０５を可動させた際に、ストッパー部８０４による扉部８０３の係止状態が解除され、この扉部８０３が自動的に下方へスライド移動し、前面開口部８０２を閉塞状態とすることができる。
【０００６】
一方、特許文献１に開示の捕獲檻８０１においては、前面開口部８０２と対向する背面部は鋼材を網目状、または格子状に組んで構成されているものが多く、格子などが害獣の視界に入ると、害獣は警戒してなかなか捕獲檻８０１に入ってこないという課題を有していた。
【０００７】
このような課題に対して、特許文献２には、捕獲檻の前面部側と、前面部側と対向する背面部側のそれぞれに開口部が形成された捕獲檻が開示されている。
【０００８】
具体的には、図７に示すように、前面開口部９０２と背面開口部９０３のそれぞれを閉塞可能な第１の扉部９０４、および第２の扉部９０５が上下方向にスライド移動自在に設けられている。このように構成された捕獲檻９０１は、第１の扉部９０４と第２の扉部９０５を開状態に係止して農地などに仕掛けられる。捕獲檻９０１に近づいた害獣は、前面開口部９０２から背面開口部９０２までを見通すことができ、捕獲檻９０１の向こう側の景色を見ることができる。そのため、捕獲檻９０１の通り抜けができると感じて、警戒心を抱くことなく捕獲檻９０１に呼び寄せることができる。
【先行技術文献】
【特許文献】
【０００９】
【特許文献１】特開２００４−３０５０５０号公報
【特許文献２】特開２００１−  ２５３４８号公報
【発明の概要】
【発明が解決しようとする課題】
【００１０】
ところで、捕獲檻で捕獲された害獣のうち、例えば、イノシシは、捕獲檻から外に逃げ出そうとして捕獲檻の中で暴れ回ったり、捕獲檻の側面を内側から突進、激突したりして、捕獲檻から必死に逃げようとする。特に、捕獲檻のサイズが大きい場合、イノシシが助走して捕獲檻の側面等に突進して体当たりするため、捕獲檻内のイノシシを処分するのに手間と時間を要するばかりでなく、捕獲檻が破壊されることにより、捕獲したイノシシが逃げられるという問題を有している。
【００１１】
そこで、捕獲檻のサイズを小さくすることで、捕獲した害獣が捕獲檻内で暴れ回らないようにすることも考えられる。しかしながら、サイズの小さい捕獲檻では捕獲檻内が閉塞的であるため害獣に警戒心を与えてしまい、害獣が捕獲檻になかなか入ってこない虞がある。
【００１２】
本発明は、以上の点に鑑みて創案されたものであり、イノシシやシカなどの害獣を捕獲する捕獲檻であり、捕獲した害獣が捕獲檻内で暴れ回ることを防止し、捕獲率を高めることができる捕獲檻を提供することを目的とする。
【課題を解決するための手段】
【００１３】
前記の目的を達成するために、本発明の捕獲檻は、第１の天井面部、第１の底面部、第１の右側面部、および第１の左側面部を有し、第１の前面開口部と第１の背面開口部が形成された第１の捕獲檻と、該第１の捕獲檻と略同じ大きさであり、第２の背面部、第２の天井面部、第２の底面部、第２の右側面部、および第２の左側面部を有し、第２の前面開口部が形成された第２の捕獲檻と、前記第１の背面開口部と、前記第２の前面開口部が対峙した状態で、前記第１の捕獲檻と前記第２の捕獲檻を連結する連結部と、前記第１の前面開口部の開口縁の下端から上端の鉛直方向上方まで前記第１の右側面部、および前記第１の左側面部に沿って延設された一対の第１のガイドレールと、該第１のガイドレールに沿って昇降し、前記第１の前面開口部を開閉可能とする第１の扉部と、前記第１の前面開口部が開口状態となるように前記第１の扉部を前記第１のガイドレールの所定の位置で保持可能な第１のストッパー部と、連結された前記第１の捕獲檻と前記第２の捕獲檻の空間を、前記第１の扉部を含む第１の空間部、前記第２の背面部を含む第２の空間部に区画する仕切板部と、前記仕切板部の一端が前記第２の背面部を指向するように、前記仕切板部を保持可能な第２のストッパー部と、前記仕切板部の他端を、前記第１の右側面部と前記第１の左側面部間、または前記第２の右側面部と前記第２の左側面部間の所定の位置に軸支する仕切板支持部と、前記第１のストッパー部、および前記第２のストッパー部の解除を契機として、前記第１の扉部を鉛直方向に落下させるとともに、前記仕切板部を前記第１の空間部と前記第２の空間部に区画する区画位置まで回動させるストッパー解除部と、前記仕切板部の区画位置からの回動を禁止する回動禁止部とを備える。
【００１４】
ここで、第１の天井面部、第１の底面部、第１の右側面部、および第１の左側面部を有し、第１の前面開口部と第１の背面開口部が形成された第１の捕獲檻を備えることにより、第１の前面開口部より、捕獲対象となる害獣を第１の捕獲檻内に誘導することができる。
【００１５】
また、第２の背面部、第２の天井面部、第２の底面部、第２の背面部、第２の右側面部、および第２の左側面部を有し、第２の前面開口部が形成された第２の捕獲檻を備えることにより、後述するように、第１の捕獲檻と、第２の捕獲檻を連結して一つの捕獲檻として使用することができる。
【００１６】
また、第１の背面開口部と、第２の前面開口部が対峙した状態で、第１の捕獲檻と第２の捕獲檻を連結する連結部を有することにより、分割状態の第１の捕獲檻と第２の捕獲檻を強固に連結することができる。従って、捕獲檻の運搬に際しては、第１の捕獲檻と第２の捕獲檻を別々に運搬し、設置場所において簡単な組立作業により、第１の捕獲檻と第２の捕獲檻を連結して捕獲檻を設置することができる。
【００１７】
また、第１の前面開口部の開口縁の下端から上端の鉛直方向上方まで第１の右側面部、および第１の左側面部に沿って延設された一対の第１のガイドレールを備えることにより、後述する第１の前面開口部を開閉する第１の扉部を、この第１のガイドレールに沿って摺動させることができる。
【００１８】
また、第１のガイドレールに沿って昇降し、第１の前面開口部を開閉可能とする第１の扉部を備えることにより、害獣が第１の前面開口部から捕獲檻内に進入した際に、第１の前面開口部を第１の扉部で閉塞することで、害獣を捕獲檻内に閉じ込めることができる。
【００１９】
また、第１の前面開口部が開口状態となるように第１の扉部を第１のガイドレールの所定の位置で保持可能な第１のストッパー部を備えることにより、第１の扉部を所定の位置で保持することで、害獣が捕獲檻内に進入するまで第１の前面開口部を開口した状態に保持することができる。
【００２０】
また、連結された第１の捕獲檻と第２の捕獲檻の空間を、第１の扉部を含む第１の空間部、第２の背面部を含む第２の空間部に区画する仕切板部を備えることにより、連結された第１の捕獲檻と第２の捕獲檻内の空間を、第１の空間部と第２の空間部に区画し、何れかの区画された狭い空間内に害獣を捕獲することができる。従って、害獣が捕獲檻内で動き回るスペースを制限することができるため、手間と時間を要することなく捕獲した害獣を処分することができるとともに、害獣により捕獲檻が破壊されることを防止することができる。
【００２１】
また、仕切板部の一端が第２の背面部を指向するとともに、第２の天井面部の近接位置において第２の天井面部と対峙するように仕切板部を保持可能な第２のストッパー部と、
を備えることにより、例えば害獣が捕獲檻内に進入するまでは、仕切板部を第２の天井面部に沿った位置に保持させることで、警戒心を与えることなく、捕獲檻内に害獣を誘導することができる。
【００２２】
また、仕切板部の他端を、第１の右側面部と第１の左側面部間、または第２の右側面部と第２の左側面部間の所定の位置に軸支する仕切板支持部を備えることにより、仕切板部を捕獲檻内において回動自在なように軸支することができる。
【００２３】
第１のストッパー部、および第２のストッパー部の解除を契機として、第１の扉部を鉛直方向に落下させるとともに、仕切板部を第１の空間部と第２の空間部に区画する区画位置まで回動させるストッパー解除部を備えることにより、例えば、害獣が捕獲檻内に進入した際に第１のストッパー部、および第２のストッパー部を解除することにより、害獣を捕獲檻内の区画された第１の空間部、または第２の空間部に閉じ込めることができる。
【００２４】
また、仕切板部の区画位置からの回動を禁止する回動禁止部を備えることにより、仕切板部を第１の空間部と第２の空間部を区画する区画位置に固定することができる。従って、例えば捕獲した害獣が仕切板部に体当たり等して仕切板部を回動させることを防止することができる。
【００２５】
前記の目的を達成するために、本発明の捕獲檻は、第１の天井面部、第１の底面部、第１の右側面部、および第１の左側面部を有し、第１の前面開口部と第１の背面開口部が形成された第１の捕獲檻と、該第１の捕獲檻と略同じ大きさであり、第２の天井面部、第２の底面部、第２の右側面部、および第２の左側面部を有し、第２の前面開口部と第２の背面開口部が形成された第２の捕獲檻と、前記第１の背面開口部と前記第２の前面開口部が対峙した状態で、前記第１の捕獲檻と前記第２の捕獲檻を連結する連結部と、前記第１の前面開口部の開口縁の下端から上端の鉛直方向上方まで前記第１の右側面部、および前記第１の左側面部に沿って延設された一対の第１のガイドレールと、該第１のガイドレールに沿って昇降し、前記第１の前面開口部を開閉可能とする第１の扉部と、前記第１の前面開口部が開口状態となるように前記第１の扉部を前記第１のガイドレールの所定の位置で保持可能な第１のストッパー部と、第２の背面開口部の開口縁の下端から上端の鉛直方向上方まで前記第２の右側面部、および前記第２の左側面部に沿って延設された一対の第２のガイドレールと、該第２のガイドレールに沿って昇降し、前記第２の背面部を開閉可能とする第２の扉部と、連結された前記第１の捕獲檻と前記第２の捕獲檻の空間を、前記第１の扉部を含む第１の空間部、前記第２の扉部を含む第２の空間部に区画する仕切板部と、前記仕切板部の一端が前記第２の背面開口部を指向するように、前記仕切板部を保持可能な第２のストッパー部と、前記仕切板部の他端を、前記第１の右側面部と前記第１の左側面部間、または前記第２の右側面部と前記第２の左側面部間の所定の位置に軸支する仕切板支持部と、前記第２の背面開口部が開口状態となるように前記背面扉部を前記第２の背面ガイドレールの所定の位置で保持可能な第３のストッパー部と、前記第１のストッパー部、前記第２のストッパー部、および前記第３のストッパー部の解除を契機として、前記第１の扉部、および前記第２の扉部を鉛直方向に落下させるとともに、前記仕切板部を前記第１の空間部と前記第２の空間部に区画する区画位置まで回動させるストッパー解除部と、前記仕切板部の区画位置からの回動を禁止する回動禁止部とを備える。
【００２６】
ここで、第１の天井面部、第１の底面部、第１の右側面部、および第１の左側面部を有し、第１の前面開口部と第１の背面開口部が形成された第１の捕獲檻を備えることにより、第１の前面開口部より、捕獲対象となる害獣を第１の捕獲檻内に誘導することができる。
【００２７】
また、第１の捕獲檻と略同じ大きさであり、第２の天井面部、第２の底面部、第２の右側面部、および第２の左側面部を有し、第２の前面開口部と第２の背面開口部が形成された第２の捕獲檻を備えることにより、後述するように、第１の捕獲檻と、第２の捕獲檻を連結して一つの捕獲檻として使用することができる。
【００２８】
また、第２の背面開口部が形成されていることにより、この第２の背面開口部から捕獲対象となる害獣を第２の捕獲檻内に誘導することができる。
【００２９】
また、第１の背面開口部と、第２の前面開口部が対峙した状態で、第１の捕獲檻と第２の捕獲檻を連結する連結部を有することにより、分割状態の第１の捕獲檻と第２の捕獲檻を強固に連結することができる。従って、捕獲檻の運搬に際しては、第１の捕獲檻と第２の捕獲檻を別々に運搬し、設置場所において、簡単な組立作業により、第１の捕獲檻と第２の捕獲檻を連結して捕獲檻を設置することができる。
【００３０】
また、第１の前面開口部の開口縁の下端から上端の鉛直方向上方まで第１の右側面部、および第１の左側面部に沿って延設された一対の第１のガイドレールと、第１のガイドレールに沿って昇降し、第１の前面開口部を開閉可能とする第１の扉部を有することにより、後述する第１の前面開口部を開閉する第１の扉部を、この第１のガイドレールに沿って摺動させることができる。
【００３１】
また、第１のガイドレールに沿って昇降し、第１の前面開口部を開閉可能とする第１の扉部を備えることにより、害獣が前面開口部から捕獲檻内に進入した際に、第１の前面開口部を第１の扉部で閉塞することで、害獣を捕獲檻内に閉じ込めることができる。
【００３２】
また、第１の前面開口部が開口状態となるように第１の扉部を第１のガイドレールの所定の位置で保持可能な第１のストッパー部を備えることにより、第１の扉部を所定の位置で保持することで、害獣が捕獲檻内に進入するまで第１の前面開口部を開口した状態に保持することができる。
【００３３】
また、第２の背面開口部の開口縁の下端から上端の鉛直方向上方まで第２の右側面部、および第２の左側面部に沿って延設された一対の第２のガイドレールを備えることにより、後述する背面部を開閉する背面扉部を、この背面ガイドレールに沿って摺動させることができる。
【００３４】
また、第２のガイドレールに沿って昇降し、第２の背面部を開閉可能とする第２の扉部を備えることにより、害獣が第２の背面開口部から捕獲檻内に進入した際に、この第２の背面開口部を第２の扉部で閉塞することにより、害獣を捕獲檻内に閉じ込めることができる。
【００３５】
また、一端が仕切板支持部に回動可能に軸支されるとともに、連結された第１の捕獲檻と第２の捕獲檻の空間を、第１の扉部を含む第１の空間部、第２の扉部を含む第２の空間部に区画する仕切板部を備えることにより、連結された第１の捕獲檻と第２の捕獲檻内の空間を、第１の空間部と第２の空間部に区画し、何れかの区画された狭い空間内に害獣を捕獲することができる。従って、害獣が捕獲檻内で動き回るスペースを制限することができるため、手間と時間を要することなく捕獲した害獣を処分することができるとともに、害獣により捕獲檻が破壊されることを防止することができる。
【００３６】
また、仕切板部の一端が第２の背面開口部を指向するとともに、第２の天井面部の近接位置において第２の天井面部と対峙するように仕切板部を保持可能な第２のストッパー部を備えることにより、例えば害獣が捕獲檻内に進入するまでは、仕切板部を第２の天井面部に沿った位置に保持させることで、警戒心を与えることなく、捕獲檻内に害獣を誘導することができる。
【００３７】
また、仕切板部の他端を、第１の右側面部と第１の左側面部間、または第２の右側面部と第２の左側面部間の所定の位置に軸支する仕切板支持部を備えることにより、仕切板部を捕獲檻内において回動自在なように軸支することができる。
【００３８】
また、第２の背面開口部が開口状態となるように背面扉部を第２の背面ガイドレールの所定の位置で保持可能な第３のストッパー部を備えることにより、第２の扉部を所定の位置で保持することで、害獣が捕獲檻内に進入するまで第２の背面開口部を開口した状態に保持することができる。
【００３９】
第１のストッパー部、第２のストッパー部、および第３のストッパー部の解除を契機として、第１の扉部、および第２の扉部を鉛直方向に落下させるとともに、仕切板部を第１の空間部と第２の空間部に区画する区画位置まで回動させるストッパー解除部を備えることにより、例えば、害獣が捕獲檻内に進入した際に第１のストッパー部、第２のストッパー部、および第３のストッパー部を解除することにより、害獣を捕獲檻内の区画された第１の空間部、または第２の空間部に閉じ込めることができる。
【００４０】
また、仕切板部の区画位置からの回動を禁止する回動禁止部を備えることにより、仕切板部を第１の空間部と第２の空間部を区画する区画位置に固定することができる。従って、例えば捕獲した害獣が仕切板部に体当たり等して仕切板部を回動させることを防止することができる。
【００４１】
また、仕切板支持部が、仕切板支持部が側面部の長さ方向略中央部に架設されている場合には、捕獲檻内を略二分する位置において、第１の空間部と第２に空間部に仕切ることができる。
【００４２】
また、回動禁止部は、仕切板支持部よりも第２の背面部側の所定の位置であって、第２の右側面部に沿って、上端から下端に延設された右側面ガイドレールと、右側面ガイドレールに対峙する位置であり、第２の左側面部に沿って、上端から下端に延設された左側面ガイドレールと、一端が右側面ガイドレール、他端が左側面ガイドレールに摺動可能に架設されたストッパー棒を有する場合には、第２のストッパー部の解除を契機として仕切板部が回動した際に、右側面ガイドレールと左側面ガイドレールに沿ってストッパー棒が鉛直方向下方に落下する。そのため、仕切板部が仕切位置まで回動した際に、害獣が仕切板部を持ち上げようとしてもストッパー棒により、その回動が禁止されるため、害獣の捕獲檻内での移動を制限することができる。
【００４３】
また、右側面ガイドレールと左側面ガイドレールは、第２の右側面部、および第２の左側面部の上端から下端に向かってテーパー状に延設されている場合には、ストッパー棒を右側面ガイドレール、および左側面ガイドレールの中途位置において保持することができるため、より確実に仕切板の回動を禁止することができる。
【００４４】
また、回動禁止部は、仕切板支持部よりも第２の背面開口部側の所定の位置であって、第２の右側面部に沿って、上端から下端に延設された右側面ガイドレールと、右側面ガイドレールに対峙する位置であり、第２の左側面部に沿って、上端から下端に延設された左側面ガイドレールと、一端が右側面ガイドレール、他端が左側面ガイドレールに摺動可能に架設されたストッパー棒を有する場合には、第２のストッパー部の解除を契機として仕切板部が回動した際に、右側面ガイドレールと左側面ガイドレールに沿ってストッパー棒が鉛直方向下方に落下する。そのため、仕切板部が仕切位置まで回動した際に、害獣が仕切板部を持ち上げようとしても、ストッパー棒によりその回動が禁止されるため、害獣の捕獲檻内での移動を制限することができる。
【００４５】
また、右側面ガイドレールと左側面ガイドレールは、第２の右側面部、および第２の左側面部の上端から下端に向かってテーパー状に延設されている場合には、ストッパー棒を右側面ガイドレール、および左側面ガイドレールの中途位置において保持することができるため、より確実に仕切板部の回動を禁止することができる。
【００４６】
連結部は、第１の右側面部、および第１の左側面部に沿って鉛直方向に所定の間隔で、第２の捕獲檻側に突出するように第１の背面開口部の開口縁に固着され、鉛直方向に第１の貫通孔が形成された中空円柱状の第１の連結部と、第２の右側面部、および第２の左側面部に沿って鉛直方向に所定の間隔で、かつ第１の連結部と干渉しない位置に、第１の捕獲檻側に突出するように第２の前面開口部の開口縁に固着され、鉛直方向に第２の貫通孔が形成されたた中空円筒状の第２の連結部と、第１の捕獲檻と第２の捕獲檻を当接させた状態で、第１の貫通孔と第２の貫通孔に挿入される連結棒とを有する場合には、簡単な構成で、第１の捕獲檻と第２の捕獲檻を強固に連結することができる。
【発明の効果】
【００４７】
本発明に係る捕獲檻は、イノシシやシカなどの害獣を捕獲する捕獲檻であり、捕獲した害獣が捕獲檻内で暴れ回ることを防止し、捕獲率を高めることができる。
【図面の簡単な説明】
【００４８】
【図１】本発明の第１の実施形態に係る捕獲檻を示す分解側面図である。
【図２】本発明の第１の実施形態に係る捕獲檻を示す分解斜視図である。
【図３】本発明の第１の実施形態に係る捕獲檻の設置状態を示す図である。
【図４】本発明の第１の実施形態に係る捕獲檻内に害獣が進入した状態を示す斜視図である。
【図５】本発明の第２の実施形態に係る捕獲檻を示す図である。
【図６】従来技術を示す図である。
【図７】従来技術を示す図である。
【発明を実施するための形態】
【００４９】
以下、捕獲檻に関する本発明の実施の形態について、図面を参照しながら説明し、本発明の理解に供する。なお、各図においては、説明の便宜上、捕獲檻１を地面に設置した状態において、捕獲檻１の底面から天井面に向かう方向を上方向、上方向の反対方向を下方向、上方向、および下方向により表される軸方向を鉛直方向とそれぞれ定義し、左右とは捕獲檻１の第１の前面開口部２１１側を正面方向と定義した場合に、正面方向から見た場合の方向をいう。
【００５０】
まず、本発明を適用した第１の実施形態に係る捕獲檻１の全体構成について、図１、および図２を用いて説明する。捕獲檻１は、図１、および図２に示すように、第１捕獲檻２と、第１の捕獲檻２と略同じ大きさである第２の捕獲檻３が連結部５で連結されて一体構成されている。
【００５１】
第１の捕獲檻２は、第１の捕獲檻本体２１に第１の扉部２８を有する構成となっている。第１の捕獲檻本体２１の具体的な構成としては、前面側に第１の前面開口部２１１が形成され、例えばＬ字型のフレーム材により構成された第１の前面方形枠体２１３と、背面側に第１の背面開口部２１２が形成され、同じくＬ字型のフレーム材より構成された第１の背面方形枠体２１４がそれぞれ対峙するように立設されている。
【００５２】
第１の前面方形枠体２１３、および第１の背面方形枠体２１４の上端縁には、Ｌ字型のフレーム材としての第１の右側上端フレーム２１５a、および第１の左側上端フレーム２１５ｂがそれぞれ架設されている。また、第１の前面方形枠体２１３、および第１の背面方形枠体２１４の下端縁には、Ｌ字型のフレーム材としての第１の右側下端フレーム２１５ｃ、および第１の左側下端フレーム２１５ｄがそれぞれ架設されている。
【００５３】
そして、これら各フレーム２１５ａ〜２１５ｄ間には複数の第１の格子部材２１６が架設されており、第１の天井面部２２、第１の底面部２３、第１の右側面部２４、および第１の左側面部２５がそれぞれ構成されている。
【００５４】
ここで、必ずしも、各枠体を構成するフレーム材はＬ字型のフレーム材により構成されている必要はない。例えば、Ｉ字型フレーム材、矩形型フレーム材等、公知のフレーム材から適宜選択することができる。
【００５５】
また、必ずしも、第１の前面方形枠体２１３、および第１の背面方形枠体２１４は方形状に構成されている必要はない。例えば、下端側のフレームを除いた略コの字状の三方枠に構成されていてもよく、第１の捕獲檻２の剛性を考慮して適宜変更することができる。
【００５６】
また、必ずしも、第１の格子部材２１６は図１、または図２に示すような丸棒部材である必要はない。例えば矩形状の角材であってもよい。
【００５７】
また、必ずしも、各枠体内は第１の格子部材２１６により閉塞されている必要はない。例えば、網状部材により閉塞されていてもよい。
【００５８】
第１の前面方形枠体２１３の開放端縁には、第１の右側面部２４、および第１の左側面部２５の端縁に沿って鉛直方向の上方まで延設された一対の第１のガイドレール２６を有している。第１の扉部２８は、この第１のガイドレール２６に沿って第１の前面開口部２１１の開放位置と閉塞位置を摺動可能なものとなっている。
【００５９】
第１のストッパー部２７は紐状体からなるものであり、捕獲檻１を設置場所に設置した状態においては、一端が第１の扉部２８に、他端がストッパー解除部６に係合されることにより、第１の前面開口部２１１が開放される位置で第１の扉部２８が保持されている。
【００６０】
エサＡが取り付けられるエサ取付部７は、第１の捕獲檻２（第１の空間部Ｃ１）内に設けられており、その一端がストッパー解除部６に係合されている。即ち、捕獲檻１に害獣Ｂが進入し、エサ取付部７に接触したことを契機として、第１のストッパー部２７とストッパー解除部６の係合状態が解除され、第１の扉部２８が鉛直方向下方に落下し、第１の前面開口部２１１が閉塞され、害獣Ｂを捕獲檻１内に閉じ込めることができるものとなっている。
【００６１】
ここで、必ずしも、エサ取付部７は第１の捕獲檻２内に設けられている必要はなく、第２の捕獲檻３内に設けられていてもよい。
【００６２】
第２の捕獲檻３は、第２の捕獲檻本体３１と仕切板構造４を有する構造となっている。即ち、前面側に第２の前面開口部３１１が形成され、Ｌ字型のフレーム材により構成された第２の前面方形枠体３１３と、第２の背面開口部３１２が形成され、同じくＬ字型のフレーム材より構成された第２の背面方形枠体３１４がそれぞれ対峙するように立設されている。また、第２の捕獲檻３においては、第２の背面方形枠体３１４に第２の格子部材３１６が上下方向に架設されて第２の背面部３６を構成している（なお、図中においては便宜上、第２の背面部３６は図示していない）。
【００６３】
ここで、必ずしも、仕切板構造４は、第２の捕獲檻３に有している必要はない。例えば、第１の捕獲檻２に仕切板構造４を有するように構成してもよい。なお、本発明の実施形態においては、説明の便宜上、以下、第２の捕獲檻３に仕切板部４１が固定されている実施形態について説明する。
【００６４】
第２の前面方形枠体３１３、および第２の背面方形枠体３１４の上端縁には、Ｌ字型のフレーム材である第２の右側上端フレーム３１５a、および第２の左側上端フレーム３１５ｂがそれぞれ架設されている。また、第２の前面方形枠体３１３、および第２の背面方形枠体３１４の下端縁には、Ｌ字型のフレーム材である第２の右側下端フレーム３１５ｃ、および第２の左側下端フレーム３１５ｄがそれぞれ架設されている。
【００６５】
そして、各フレーム３１５ａ〜３１５ｄ間には複数の第２の格子部材３１６が架設されており、第２の背面部３６、第２の天井面部３２、第２の底面部３３、第２の右側面部３４、および第２の左側面部３５がそれぞれ構成されている。
【００６６】
仕切板構造４は、捕獲檻１内の空間を第１の扉部２８を含む第１の空間部Ｃ１と、第２の背面部３６を含む第２の空間部Ｃ２に仕切ることが可能な仕切板部４１と、仕切板部４１の他端が第２の右側上端フレーム３１５aと第２の左側上端フレーム３１５ｂであって、第２の前面方形枠体３１３側の所定の位置に設けられた仕切板支持部４２に回動自在に軸支されている。
【００６７】
仕切板部４１は、捕獲檻１の設置状態においては、仕切板部４１の一端が第２の背面部３６を指向するとともに、第２の天井面部３２に近接する位置において、第２の天井面部３２に対峙するように、紐状体からなる第２のストッパー部４３により保持されている。即ち、図１、および図２に示すように、紐状体からなる第２のストッパー部の一端が仕切板部４１に、他端がストッパー解除部６に係合されていることにより、仕切板部４１は第２の天井面部３２と略平行となる位置に保持されている。
【００６８】
ここで、必ずしも、捕獲檻１の設置状態において、仕切板部４１の一端が第２の背面部３６を指向し、第２の天井面部３２に近接する位置において、第２の天井面部３２に対峙するように保持されている必要はない。但し、第２の天井面部３２に近い位置で仕切板部４１を保持することで、害獣が捕獲檻１内に進入するまでは、警戒心を与えることなく、捕獲檻１内に害獣を誘導することができる。
【００６９】
また、仕切板支持部４２は、第２の前面方形枠体３１３側の所定の位置に設けられている必要はない。但し、仕切板支持部４２が、第２の前面方形枠体３１３側に設けられていることにより、第１の空間部Ｃ１に閉じ込められた害獣Ｂの行動を、より確実に規制することが可能となる。
【００７０】
仕切板支持部４２の第２の背面部３６側には、仕切板部４１の区画位置からの回動を禁止する回動禁止部４４を備えている。この回動禁止部４４の具体的な構造としては、仕切板支持部４２よりも第２の背面部３６側であって、第２の右側面部３４の内面に沿って、第２の右側上端フレーム３１５aから第２の右側下端フレーム３１５ｃに向かってテーパー状に延設された右側面ガイドレール４４１と、第２の左側面部３５の内面に沿って、第２の左側上端フレーム３１５ｂから第２の左側下端フレーム３１５ｄに向かってテーパー状に延設された左側面ガイドレール４４２が設置されている。この右側面ガイドレール４４１と左側面ガイドレール４４２には、ストッパー棒４４３が摺動可能に架設されている。
【００７１】
第２のストッパー部４３は、第１のストッパー部２７と同じく紐状体からなるものであり、一端が仕切板部４１の他端に係合され、他端がストッパー解除部６に係合されている。即ち、捕獲檻１に進入した害獣Ｂがエサ取付部７に接触したことを契機として、第２のストッパー部４３とストッパー解除部６の係合状態が解除され、捕獲檻１内を第１の空間部Ｃ１と第２の空間部Ｃ２に仕切る仕切位置まで仕切板部４１が回動する。
【００７２】
このストッパー棒４４３は、仕切板部４１が第２のストッパー部４３により支持されている状態においては、仕切板部４１と第２の右側上端フレーム３１５a、および第２の左側上端フレーム３１５ｂの間に挟持されている。この状態から、第２のストッパー部４３の解除を契機として仕切板部４１の回動が許容されると、ストッパー棒４４３が上端から下端に向けて右側面ガイドレール４４１と左側面ガイドレール４４２を摺動する。
【００７３】
ここで、必ずしも、右側面ガイドレール４４１と左側面ガイドレール４４２は、上端から下端にかけてテーパー状に形成されている必要はない。例えば、上端から下端にかけて同一幅のストレート形状であってもよい。但し、上端から下端にかけてテーパー状に形成されていることにより、ストッパー棒４４３が上端から下端にかけて落下した際に、右側面ガイドレール４４１と左側面ガイドレール４４２の中途位置で滑止する。このとき、例えば第１の空間部Ｃ１に閉じ込められた害獣Ｂが、仕切板部４１を第２の空間部Ｃ２側へ回動させようとしても、ストッパー棒４４３によりその回動が制限されるため、害獣Ｂを第１の空間部Ｃ１に閉じ込めた状態を保持することができる。さらに、害獣Ｂが第２の空間部Ｃ２に閉じ込められた場合には、ストッパー棒４４３に遮られて害獣Ｂが仕切板部４１を回動させようとする行動が制限されるため、害獣Ｂを第２の空間部Ｃ２に閉じ込めた状態を保持することができる。
【００７４】
第２の右側下端フレーム３１５ｃ、および第２の左側下端フレーム３１５ｄには、仕切板部４１が回動し、設置面に対して略垂直となった状態で、それ以上の回動を規制するための当接片４５が設けられている。なお、第１の捕獲檻２に仕切板構造４を設置する場合には、この当接片４５は第１の捕獲檻２内に設けられる。
【００７５】
ここで、必ずしも、当接片４５を有している必要はない。但し、当接片４５を有することにより、仕切板部４１のそれ以上の回動を禁止することができるため、例えば、第２空間部Ｃ２に閉じ込められた害獣Ｂが、仕切板部４１を第１に空間部Ｃ１側に押そうとしても、当接片４５でその回動が禁止される。従って、害獣Ｂを確実に第２の空間部Ｃ２に閉じ込めることができる。
【００７６】
連結部５は、第１の捕獲檻２と第２の捕獲檻３を連結するものであり、第１の捕獲檻２側に設けられた第１の連結部５１、第２の捕獲檻３側に設けられた第２の連結部５２、および連結棒５３から構成されている。
【００７７】
第１の連結部５１は、第１の貫通孔５１１が形成された中空円筒状であり、第１の背面方形枠体２１４の左右の鉛直方向に所定の間隔で、第２の捕獲檻３側に突出するように固着されている。
【００７８】
また、第２の連結部５２は第２の貫通孔５２１が形成された中空円筒状であり、第２の前面方形枠体３１３の左右の鉛直方向に第１の連結部５１と干渉しない位置であって、かつ第１の捕獲檻２側に突出するように固着されている。
【００７９】
この第１の捕獲檻２の第１の背面方形枠体２１４と、第２の捕獲檻３の第２の前面方形枠体３１３を対峙させるように当接させると、第１の連結部５１と第２の連結部５２はそれぞれが干渉しない位置に第１の背面方形枠体２１４と第２の前面方形枠体３１３に固着されているため、第１の連結部５１と第２の連結部５２が互い違いに配置されることになる。この状態で、第１の貫通孔５１１と第２の貫通孔５２１に連結棒５３を挿入することで、第１の捕獲檻２と第２の捕獲檻３が強固に固定される。
【００８０】
ここで、必ずしも、第１の捕獲檻２と第２の捕獲檻３の連結構造として、前記に示した第１の連結部５１、第２の連結部５２、および連結棒５３から構成されている必要はなく、公知の連結構造から適宜選択することができる。例えば、第１の捕獲檻２の第１の背面方形枠体２１４にフック状の係合部を、第２の捕獲檻３の第２の前面方形枠体３１３にこの係合部が係合可能な係合孔を形成することで、第１の捕獲檻２と第２の捕獲檻３を連結させることもできる。
【００８１】
次に、図３、および図４を用いて、本発明の第１の実施形態における捕獲檻の作動について説明する。
【００８２】
まず、図３に示すように、害獣Ｂを捕獲前の捕獲檻１を設置場所に設置された状態においては、第１の扉部２８は、第１の前面開口部２１１が開放される位置に第１のストッパー部２７により保持されている。また、仕切板部４１は第２の天井面部３２と略平行となる位置に第２のストッパー部４３により保持されている。
【００８３】
このような状態で、第１の捕獲檻２内（第１の空間部Ｃ１）に設けられたエサ取付部７に取り付けられたエサＡに引き寄せられて、捕獲檻１に進入してきた害獣Ｂは、エサ取付部７に取り付けられたエサＡを食べようと接触する。この反動により、ストッパー解除部６と第１のストッパー部２７、および第２のストッパー部４３との係合状態が解除される。
【００８４】
ストッパー解除部６と第１のストッパー部２７、および第２のストッパー部４３との係合状態が解除されると、図４に示すように、第１の扉部２８は第１のガイドレール２６に沿って鉛直方向下方に落下し、第１の前面開口部２１１が閉塞されるとともに、仕切板部４１は第１の空間部Ｃ１と第２の空間部Ｃ２を仕切る仕切位置まで回動する。このとき、仕切板部４１と第２の右側上端フレーム３１５a、および第２の左側上端フレーム３１５ｂにより挟持されているストッパー棒４４３は、右側面ガイドレール４４１と左側面ガイドレール４４２に沿って摺動し、中途位置で滑止する。
【００８５】
このとき、害獣Ｂは、エサ取付部７の設置してある第１の空間部Ｃ１に閉じ込められることになる。害獣Ｂが閉じ込められた第１の空間部Ｃ１は、害獣Ｂが助走できるたけの充分なスペースがなく、かつ第１の空間部Ｃ１側から仕切板部４１を第２の空間部Ｃ２側に回動させようとしても、ストッパー棒４４３が右側面ガイドレール４４１と左側面ガイドレール４４２の中途位置で滑止されていることから、仕切板部４１の回動も規制される。そのため、害獣Ｂは第１の空間部Ｃ１で暴れることができないものとなり、捕獲檻１が破壊され、害獣Ｂが捕獲檻１から逃げ出す虞もなく、かつ作業者による害獣Ｂの処分も容易に行えるものとなる。
【００８６】
次に、本発明の第２の実施形態について、図５に基づき説明する。なお、第１の実施形態と共通する構成部分については、第１の実施形態と共通の符号を用いて説明する。
【００８７】
図５に示すように、第２の実施形態においても、第１の実施形態と同じく、捕獲檻１は、第１の捕獲檻２と、第１の捕獲檻２と略同じ大きさである第２の捕獲檻３´が連結部５で連結されて一体構成されている。
【００８８】
なお、第１の実施形態における第２の捕獲檻３の第２の背面方形枠体３１４は第２の格子部材３１６により閉塞され、第２の背面部３６を構成していた。一方、この第２の実施形態の第２の捕獲檻３´においては、第２の背面開口部３１２は閉塞されておらず、第２の扉部３９により開閉自在なものとなっている。
【００８９】
即ち、第２の背面方形枠体３１４の開放端縁に、第２の右側面部３４、および第２の左側面部３５の端縁に沿って鉛直方向の上方まで延設された一対の第２のガイドレール３７を有している。この第２のガイドレール３７に沿って、第２の扉部３９が第２の背面開口部３１２の開放位置と閉塞位置を摺動可能に設置されている。
【００９０】
第３のストッパー部３８は、紐状体からなるものであり、一端が第２の扉部３９に、他端がエサ取付部７に係合されている。捕獲檻１が設置場所に設置した状態においては、第２の扉部３９は、第１の扉部２８と同様に、第２の背面開口部３１２が開放される位置で第３のストッパー部３８により保持されている。
【００９１】
また、図５では図示しない仕切板部４１は、第１の実施形態と同じく第２のストッパー部４３により、一端が仕切板支持部４２に軸支されるとともに、他端が第２の背面開口部３１２を指向するように第２の天井面部３２と略平行となる位置で保持されている。
【００９２】
エサ取付部７は第１の実施形態と同じく、第１の捕獲檻２（第１の空間部Ｃ１）内に設けられており、その一端がストッパー解除部６に係合されている。
【００９３】
そして、第１の前面開口部２１１、または第２の背面開口部３１２の何れか一方から捕獲檻１に害獣Ｂが進入し、エサ取付部７に接触したことを契機として、第１のストッパー部２７、第２のストッパー部４３、および第３のストッパー部３８が同時に解除される。このとき、第１の扉部２８、および第２の扉部３９が鉛直方向下方に落下するとともに、仕切板部４１が仕切位置まで回動することで、第１の前面開口部２１１と第２の背面開口部３１２が閉塞されるとともに、仕切板部４１により捕獲檻１内に進入した害獣を第１の空間部Ｃ１の狭い空間内に閉じ込めることができる。
【００９４】
この第２の実施形態においては、第１の前面開口部２１１のみならず、第２の背面開口部３１２からも害獣Ｂを捕獲檻内に誘導することができるため、害獣Ｂの捕獲をより高い確率で高めることができるものとなっている。
【００９５】
以上のように、本発明を適用した捕獲檻は、軽量かつ小型で、害獣への警戒心を与えることなく害獣の捕獲率を高めることができるものとなっている。
【符号の説明】
【００９６】
１      捕獲檻
２      第１の捕獲檻
２１      第１の捕獲檻本体
２１１      第１の前面開口部
２１２      第１の背面開口部
２１３      第１の前面方形枠体
２１４      第１の背面方形枠体
２１５ａ      第１の右側上端フレーム
２１５ｂ      第１の左側上端フレーム
２１５ｃ      第１の右側下端フレーム
２１５ｄ      第１の左側下端フレーム
２１６      第１の格子部材
２２      第１の天井面部
２３      第１の底面部
２４      第１の右側面部
２５      第１の左側面部
２６      第１のガイドレール
２７      第１のストッパー部
２８      第１の扉部
３、３´      第２の捕獲檻
３１      第２の捕獲檻本体
３１１      第２の前面開口部
３１２      第２の背面開口部
３１３      第２の前面方形枠体
３１４      第２の背面方形枠体
３１５ａ      第２の右側上端フレーム
３１５ｂ      第２の左側上端フレーム
３１５ｃ      第２の右側下端フレーム
３１５ｄ      第２の左側下端フレーム
３１６      第２の格子部材
３２      第２の天井面部
３３      第２の底面部
３４      第２の右側面部
３５      第２の左側面部
３６      第２の背面部
３７      第２のガイドレール
３８      第３のストッパー部
３９      第２の扉部
４      仕切板構造
４１      仕切板部
４２      仕切板支持部
４３      第２のストッパー部
４４      回動禁止部
４４１      右側面ガイドレール
４４２      左側面ガイドレール
４４３      ストッパー棒
４５      当接片
５      連結部
５１      第１の連結部
５１１    第１の貫通孔
５２      第２の連結部
５２１    第２の貫通孔
５３      連結棒
６      ストッパー解除部
７      エサ取付部
Ａ      エサ
Ｂ      害獣
Ｃ１      第１の空間部
Ｃ２      第２の空間部
【図１】
2018191573.tif 000003
【図２】
2018191573.tif 000004
【図３】
2018191573.tif 000005
【図４】
2018191573.tif 000006
【図５】
2018191573.tif 000007
【図６】
2018191573.tif 000008
【図７】
2018191573.tif 000009